(57)【要約】      （修正有）【課題】効率よく雨水を集めて貯水できる墓参用具格納庫を提供する。【解決手段】所定大きさの底板２３と、この底板の周囲から所定高さ立設し一側板面に所定大きさの扉開口３３を設けて該扉開口以外の周囲を囲繞し上方を開放させた筒型の側板部２４Ａと、前記開放部分を被って塞いだ屋根部２６とを設ける。また、扉開口に開閉自在な扉２５を装着し、内部に貯水容器３４及びその他の墓参用具を格納できる大きさの格納室を形成して墓参用具格納庫を構成する。さらに、屋根部２６は、その外表面に雨水を集水する集水部２６ａ１、２６ｃ１、２６ｄ１等を設けて、一側板部に、これらの集水部からの雨水を格納室の内部へ導水する導水部を設けた構成とする。【選択図】図４
0003166282.tif 000002
【実用新案登録請求の範囲】
【請求項１】
所定大きさの底板と、前記底板の周囲から所定高さ立設し一側板面に所定大きさの扉開口を設けて該扉開口以外の周囲を囲繞し上方を開放させた筒型の側板部と、前記開放部分を被って塞いだ屋根部とを有し、前記扉開口に開閉自在な扉を装着して内部に貯水容器及びその他の墓参用具を格納できる大きさの格納室が形成された墓参用具格納庫において、
前記屋根部には、その外表面に雨水を集水する集水部が設けられており、前記側板部には、前記集水部からの雨水を前記格納室の内部へ導水する導水部が設けられていることを特徴とする墓参用具格納庫。
【請求項２】
前記屋根部は、所定の肉厚を有する板状体からなり、前記板状体の一部を窪ませて、前記窪み部が前記集水部となっており、前記導水部は前記窪み部に連通した導水管からなり、前記導水管が前記側板部を貫通して前記格納室内へ導入されていることを特徴とする請求項１に記載の墓参用具格納庫。
【請求項３】
前記屋根部は、所定の肉厚を有する板状体からなり、前記板状体の外周縁部の少なくとも一部に雨水を集水して通水させる通水溝を設けて、該通水溝が前記集水部となっており、前記側板部に前記通水溝に連通した前記導水部が設けられていることを特徴とする請求項１に記載の墓参用具格納庫。
【請求項４】
前記導水部は、前記側板部の外壁面に前記通水溝に連通させて設けた前記導水溝からなり、前記導水溝は、その他端部を前記側板部を貫通して前記格納室内へ連通していることを特徴とする請求項３に記載の墓参用具格納庫。
【請求項５】
前記導水溝は、所定の深さを有する凹み溝であることを特徴とする請求項４に記載の墓参用具格納庫。
【請求項６】
前記凹み溝は、前記屋根部の最外周縁側の溝壁が内側の溝壁より背低にし、該背低の頂壁部が湾曲していることを特徴とする請求項５に記載の墓参用具格納庫。
【請求項７】
前記導水溝は、前記扉と反対側の側板部に設けられていることを特徴とする請求項４〜
６のいずれかに記載の墓参用具格納庫。
【請求項８】
前記格納室には、前記導水部に連通する箇所に、前記貯水容器に注水する導水部材が設けてあることを特徴とする請求項１に記載の墓参用具格納庫。
【請求項９】
前記導水部材は、その水路に水浄化部材が介在されていることを特徴とする請求項８に記載の墓参用具格納庫。
【請求項１０】
前記水浄化部材は、炭材であることを特徴とする請求項８又は９に記載の墓参用具格納庫。
【請求項１１】
前記屋根部は、前記開口が高く、前記開口と対向する反対側へ向かって徐々に低くなるように傾斜していることを特徴とする請求項１〜１０のいずれかに記載の墓参用具格納庫。
【請求項１２】
前記底板部は、床面に貯水容器を設置する凹み穴を設け、前記凹み穴にドレイン孔が形成されていることを特徴とする請求項１に記載の墓参用具格納庫。
【請求項１３】
前記凹み穴は、すり鉢状をしてし、底部に前記ドレイン孔が形成されていることを特徴とする請求項１２に記載の墓参用具格納庫。
【請求項１４】
前記底板、前記側板部及び屋根板部並びに扉は、同じ材質の石材で形成されていることを特徴とする請求項１〜１３のいずれかに記載の墓参用具格納庫。
【考案の詳細な説明】
【技術分野】
【０００１】
本考案は、墓参用具格納庫に係り、さらに詳しくは、お墓に設置してお墓参りに必要な線香、ロウソク及び水桶や杓子などの墓参用具を格納して置くことができる墓参用具格納庫に関するものである。
【背景技術】
【０００２】
お墓は、宗派、地方や慣習などの違いにより多種多様なものが存在するが、一般的な和式のお墓は、所定大きさの墓地に墓石（石塔）及びカロート（納骨室）を中心にして、その周辺に様々な墓飾品を配設したものとなっている。墓飾品には、花立て、水鉢、香炉、拝石、灯篭、墓誌などがあり、これらの墓飾品は墓地の広さや予算などに応じてその幾つかが配設されている。また、日本では古くからの慣行として、主に、お盆、お彼岸や命日などにお墓参りが行われており、その際に、線香、ロウソク、水桶や杓子などの墓参用具の他に、お酒、ビール、お餅、お団子などの飲食類やお花などが持参されている。これらの持参品は、お墓参りの交通機関に自家用車を利用する場合には、比較的簡単に持ち運びが可能であるが、バス、電車や列車などの公共輸送機関を利用する場合には、その品数及び数量が多くなると、それらが嵩張り重量も重くなり、持ち運びが難儀になる。また、お墓参りは、通常、持ち物が多くなりがちになることから、数量が多くなるとそのうちのいくつかを忘れてしまうことがしばしば起こる。このような実情から、お墓に、格納庫を設置して、この格納庫に線香、ロウソクや水桶及び杓子などの墓参用具、さらには掃除道具などをも格納して置き、お墓参りのときに、それらの用具の持ち運びを不要にしたお墓が提案されている。
【０００３】
例えば、下記特許文献１には、格納庫を設置したお墓が記載されている。なお、図１５はこの特許文献１に記載されたお墓を示し、図１５Ａはお墓の概要斜視図、図１５Ｂは図１５Ａの格納庫の斜視図である。このお墓４０は、墓地に墓石（石塔）及びカロート（納骨室）を中心に、その周辺に花立て、水鉢、拝石、格納庫４１が設置されている。この格納庫４１は、正面に扉を設けた箱体からなり、内部にロウソク、線香や水桶などの墓参用具を格納できるようになっている。
【０００４】
また、下記特許文献２には、お墓に設置する雨水リサイクルポットが記載されている。なお、図１６はこの特許文献２に記載された雨水リサイクルポットの斜視図である。この雨水リサイクルポット４２は、上面に開口を設けた貯水部本体４３と、この開口を被う蓋４４とを有し、蓋４４はその表面に研磨・艶出し加工をすると共に周辺角部を面取りして、貯水部本体４３と蓋４４との間に１〜２ｍｍの隙間があくようにして、貯水部本体４３の開口を被った構成となっている。この雨水リサイクルポット４２は、雨が降ると、研磨した石の撥水効果と、水のもつ表面張力により盛り上がり、面取りにより、雨が貯水部本体４３の間隙を毛細管現象によって流れ込み、雨水を溜めることができる。その結果、近くに水道が無くても、水を持ってくるのを忘れても、雨水を利用でき便利になる。また、貯水部本体と蓋との間隙が１〜２ｍｍと極小なのでゴミの侵入を防ぐことができる。
【先行技術文献】
【特許文献】
【０００５】
【特許文献１】実用新案登録第３００５７９１号公報（実用新案登録請求の範囲、図２）
【特許文献２】特開２００５−１１３６５４号（段落〔０００３〕、〔０００４〕、図１）
【考案の概要】
【考案が解決しようとする課題】
【０００６】
上記特許文献１のお墓は、設置した格納庫にお墓参りに必要な線香、ローソク及び水桶や杓子などの墓参用具を格納して置くことができるので、お墓参りの際の持ち物は、これらの墓参用具を除いたお酒、ビール、お餅、お団子やお花などとなり、その数量が減って準備などの手間も省けるので気軽にお墓参りをすることができる。しかしながら、この格納庫に、水桶などを格納して置いても、お墓参りには、お墓の清掃や花立て及び水鉢などに所定量の水が必要となるので、この水桶を使用して水汲みをしなければならない。しかしながら、この水汲み作業は、井戸や水道などの水源がお墓に近いときには左程苦にならないが、その水源が遠くなると難儀になる。
【０００７】
この点、上記特許文献２の雨水リサイクルポットは、所定量の雨水を溜めて置けるので、水の持参を忘れても、或いは近くに水源が無くても、このリサイクルポットに溜まった水を利用できので、水汲み作業が不要になる。しかしながら、このような雨水リサイクルポットをお墓に設置するとなると、墓地にはそれを設置するためのスペースが必要となり、このスペースが確保できなければ設置ができず、また、設置するには購入費用が掛かり、さらに、雨水リサイクルポットを設置できたとしても、水桶や杓子及び掃除用具なども必要となり、結局、これらの墓参用具を持参しなければならないことになる。
【０００８】
そこで、本考案者らは、上記特許文献１のお墓のように、墓参用具を格納する格納庫を設置し、しかも、この格納庫に水桶や杓子及び掃除用具を格納して置くので、この格納庫内に雨水を貯留できるようにすれば、上記特許文献２のような雨水リサイクルポットを設置せずに、費用も掛けることなく、上記の課題を解決できることに想到し、本考案を完成させるに至ったものである。
【０００９】
そこで、本考案は、このような従来技術の課題を解決するためになされたもので、本考案の目的は、内部に貯水容器を収納して置き、この貯水容器に雨水を所定量貯水できるようにした墓参用具格納庫を提供することにある。
【００１０】
本考案の他の目的は、効率よく雨水を集めて貯水できる墓参用具格納庫を提供することにある。
【００１１】
本考案のまた他の目的は、貯水容器内の貯水が腐らないように貯水できる墓参用具格納庫を提供することにある。
【００１２】
本考案のさらに他の目的は、貯水容器から雨水が溢れてこの容器内の貯水が降雨毎に入れ替わるようにして貯水できる墓参用具格納庫を提供することにある。
【課題を解決するための手段】
【００１３】
上記課題を解決するために、本考案の第１の態様の墓参用具格納庫は、所定大きさの底板と、前記底板の周囲から所定高さ立設し一側板面に所定大きさの扉開口を設けて該扉開口以外の周囲を囲繞し上方を開放させた筒型の側板部と、前記開放部分を被って塞いだ屋根部とを有し、前記扉開口に開閉自在な扉を装着して内部に貯水容器及びその他の墓参用具を格納できる大きさの格納室が形成された墓参用具格納庫において、前記屋根部には、その外表面に雨水を集水する集水部が設けられており、前記側板部には、前記集水部からの雨水を前記格納室の内部へ導水する導水部が設けられていることを特徴とする。
【００１４】
また、第２の態様の墓参用具格納庫は、前記第１の態様の墓参用具格納庫において、前記屋根部は、所定の肉厚を有する板状体からなり、前記板状体の一部を窪ませて、前記窪み部が前記集水部となっており、前記導水部は前記窪み部に連通した導水管からなり、前記導水管が前記側板部を貫通して前記格納室内へ導入されていることを特徴とする。
【００１５】
また、第３の態様の墓参用具格納庫は、前記第１の態様の墓参用具格納庫において、前記屋根部は、所定の肉厚を有する板状体からなり、前記板状体の外周縁部の少なくとも一部に雨水を集水して通水させる通水溝を設けて、該通水溝が前記集水部となっており、前記側板部に前記通水溝に連通した前記導水部が設けられていることを特徴とする。
【００１６】
また、第４の態様の墓参用具格納庫は、前記第３の態様の墓参用具格納庫において、前記導水部は、前記側板部の外壁面に前記通水溝に連通させて設けた前記導水溝からなり、前記導水溝は、その他端部を前記側板部を貫通して前記格納室内へ連通していることを特徴とする。
【００１７】
また、第５の態様の墓参用具格納庫は、前記第４の態様の墓参用具格納庫において、前記導水溝は、所定の深さを有する凹み溝であることを特徴とする。
【００１８】
また、第６の態様の墓参用具格納庫は、前記第５の態様の墓参用具格納庫において、前記凹み溝は、前記屋根部の最外周縁側の溝壁が内側の溝壁より背低にし、該背低の頂壁部が湾曲していることを特徴とする。
【００１９】
また、第７の態様の墓参用具格納庫は、前記第４〜６のいずれかの態様の墓参用具格納庫において、前記導水溝は、前記扉と反対側の側板部に設けられていることを特徴とする。
【００２０】
また、第８の態様の墓参用具格納庫は、前記第１の態様の墓参用具格納庫において、前記格納室には、前記導水部に連通する箇所に、前記貯水容器に注水する導水部材が設けてあることを特徴とする。
【００２１】
また、第９の態様の墓参用具格納庫は、前記第８の態様の墓参用具格納庫において、前記導水部材は、その水路に水浄化部材が介在されていることを特徴とする。
【００２２】
また、第１０の態様の墓参用具格納庫は、前記第８又は９の態様の墓参用具格納庫において、前記水浄化部材は、炭材であることを特徴とする。
【００２３】
また、第１１の態様の墓参用具格納庫は、前記第１〜１０のいずれかの態様の墓参用具格納庫において、前記屋根部は、前記開口が高く、前記開口と対向する反対側へ向かって徐々に低くなるように傾斜していることを特徴とする。
【００２４】
また、第１２の態様の墓参用具格納庫は、前記第１の態様の墓参用具格納庫において、前記底板部は、床面に貯水容器を設置する凹み穴を設け、前記凹み穴にドレイン孔が形成されていることを特徴とする。
【００２５】
また、第１３の態様の墓参用具格納庫は、前記第１２の態様の墓参用具格納庫において、前記凹み穴は、すり鉢状をしてし、底部に前記ドレイン孔が形成されていることを特徴とする。
【００２６】
また、第１４の態様の墓参用具格納庫は、前記第１〜１３のいずれかの態様の墓参用具格納庫において、前記底板、前記側板部及び屋根板部並びに扉は、同じ材質の石材で形成されていることを特徴とする。
【考案の効果】
【００２７】
本考案の第１及び２の態様の墓参用具格納庫によれば、屋根部の外表面に、雨水を集水する集水部が設けられて、側板部には、前記集水部からの雨水を格納室の内部へ導水する導水部が設けられているので、格納室に貯水容器を格納して置くことによって、該貯水容器に雨水を貯水して置くことが可能になる。
【００２８】
また、第３の態様の墓参用具格納庫によれば、屋根部の外周縁部の少なくとも一部に雨水を集水して通水させる通水溝を設けて、該通水溝を前記集水部とし、側板部に通水溝に連通した前記導水部が設けられているので、効率よく雨水を集水して貯水できる。
【００２９】
また、第４〜６の態様の墓参用具格納庫によれば、側板部の外壁面を加工することによって、導水部となる導水溝を形成できる。また、配管が不要になりゴミが詰まることがない。
【００３０】
また、第７の態様の墓参用具格納庫によれば、導水溝が正面から見えず隠れるので、デザイン性を損なうことがない。
【００３１】
また、第８の態様の墓参用具格納庫によれば、貯水容器への注水が確実になる。
【００３２】
また、第９及び１０の態様の墓参用具格納庫によれば、雨水を浄化できる。
【００３３】
また、第１１の態様の墓参用具格納庫によれば、雨水の流が効率よく集水して貯水できる。
【００３４】
また、第１２及び１３の態様の墓参用具格納庫によれば、貯水容器から溢れた雨水を外部へ排出できる。
【００３５】
また、第１４の態様の墓参用具格納庫によれば、デザイン性が向上する。
【図面の簡単な説明】
【００３６】
【図１】図１は本考案の実施形態１に係る墓参用具格納庫が設置されるお墓の概略斜視図である。
【図２】図２は図１の墓参用具格納庫の斜視図である。
【図３】図３は扉を開けた状態の墓参用具格納庫の斜視図である。
【図４】図４は内部に水桶を収納した状態の墓参用具格納庫の斜視図である。
【図５】図５は図２のＶ−Ｖ線で切断した墓参用具格納庫の断面図である。
【図６】図６は図２の墓参用具格納庫の底板を示し、図６Ａは平面図、図６Ｂは図６ＡのVIＢ方向から見た側面図である。
【図７】図７は図２の墓参用具格納庫の側板を示し、図７Ａは両サイドの側板の立面図、図７Ｂは図７Ａの上方辺の側面図、図７Ｃは奥方向の側板の立面図、図７Ｄは図７Ｃ上面図である。
【図８】図８は図２の墓参用具格納庫の扉を示し、図８Ａは立面図、図８Ｂは図８Ａの上面図である。
【図９】図９は図２の墓参用具格納庫の屋根板を示し、図９Ａは平面図、図９Ｂは図９ＡのIXＢから見た側面図、図９Ｃは図９ＡのIXＣ−IXＣ線で切断した拡大断面図、図９Ｄは図９ＡのIXＤから見た側面図である。
【図１０】図１０は図２の摘みを示し、図１０Ａは上面図、図１０Ｂは正面図である。
【図１１】図１１は図３の扉止め台を示し、図１１Ａは上面図、図１１Ｂは側面図である。
【図１２】図１２は図３の２枚の棚板を示し、図１２Ａは一方の棚板の平面図、図１２Ｂは図１２Ａの側面図、図１２Ｃは他方の棚板の平面図、図１２Ｄは図１２Ｃの側面図である。
【図１３】図１３は図３の樋を示し、図１３Ａは側面図、図１３Ｂは図１３ＡのXIIIＢ方向から見た背面図である。
【図１４】図１４は本考案の実施形態２に係る墓参用具格納庫の断面図である。
【図１５】図１５は従来技術のお墓を示し、図１５Ａはお墓の概要斜視図、図１５Ｂは格納庫の斜視図である。
【図１６】図１６は他の従来技術の雨水リサイクルポットの斜視図である。
【考案を実施するための形態】
【００３７】
以下、図面を参照して本考案の実施形態を説明する。但し、以下に示す実施形態は、本考案の技術思想を具体化するための墓参用具格納庫を例示するものであって、本考案をこれに特定することを意図するものではなく、実用新案登録請求の範囲に含まれるその他の実施形態のものにも等しく適応し得るものである。なお、お墓は、宗派、地方などの違いにより型式が異なり、例えば、「和式（仏式、和型）」、「洋式（洋型）」、「神式」、「五輪塔」や「地蔵墓」などがあるが、本実施形態では、一般的な「和式（仏式、和型）」のお墓を説明し、この技術は、他の「洋式」などにも適用できるものである。また、お墓を構成する部位などの名称も統一されておらず、例えば地方などにもよっても異なるので、一般的な通称を用いることとする。
【００３８】
［実施形態１］
まず、図１を参照して、本考案の実施形態１に係る墓参用具格納庫が設置されるお墓の概要を説明する。なお、図１は本考案の実施形態１に係る墓参用具格納庫が設置されるお墓の概略斜視図である。
【００３９】
本考案の実施形態１に係る墓参用具格納庫２２は、一般的な和型のお墓１０に設置するものとなっている。一般的な和型のお墓１０は、図１に示すように、所定大きさの墓地を外柵１１で区画して仕切り、この外柵１１内に、カロート（納骨室）及びこの上に立設した墓石（石塔）１４を中心にして、その周辺に様々な墓飾品を配設したものとなっている。墓飾品は、故人の戒名、俗名や没日などを彫刻した墓誌１９、お花をお供えする花立てとお水をお供えする水鉢とをセットにした花立て・水鉢セット２０、墓参りの際に手荷物などを置く物置台２１、本考案の実施形態１に係る墓参用具格納庫２２などとなっている。これらの墓飾品は、自然石を加工したもので形成されて、墓地の広さや予算などに応じて、その幾つかが設置される。
【００４０】
カロート（納骨室）は、遺骨が納められるお墓の心臓部と言える場所にあって、墓石１４の下に位置している。このカロートは、その大きさや形状は墓地自体の形や広さによって様々なものがある。大きく分けると、地上式、半地下式、地下式に分けられ、それぞれ一段型や二段以上の型がある。この実施形態では，いずれの型式でもよく、後述する地廻石１５を作るときに形成される。
【００４１】
外柵１１は、墓所との境をはっきりさせ且つ流水や地崩れなどを防止するもので、境界石、巻石、境石などとも呼ばれている。この外柵１１は、入口の正面に踏石１２ａ及び両側に門柱１３などが設置されている。
【００４２】
墓石（石塔）１４は、開眼供養の際に、僧侶によって魂が入れられるお墓の中心となるもので、所定大きさの地廻石１５の上に、順に下石台１６、上石台１７及び竿石１８を積み上げたものとなっている。
【００４３】
地廻石１５は、根石や芝台とも呼ばれており、カロートの外壁と下石台１６、上石台１７及び竿石１８を積層する際の土台となるもので、御影石やコンクリートで作られている。この地廻石１５は、花立て・水鉢セット２０の置き台ともなっている。
【００４４】
下石台１６及び上石台１７は、竿石１８を立設する土石台となっており、下石台１６には、正面に納骨室に連通する所定大きさの開口が形成されている。この開口は、通常、花立て・水鉢セット２０の壁面で覆われて、外部からは見えないようになっている。また上石台１７には、その正面に蓮華模様や家紋・家名などが刻まれる。なお、下石台１６の前には、所定大きさの拝所板石１２ｂが配設されている。
【００４５】
竿石１８は、棹石、佛石、軸石などとも呼ばれ、表面には、「お題目」、「先祖代々之墓」や「○○家之墓」などの文字が刻まれている。
【００４６】
次に、図２〜図５を参照して、図１の墓参用具格納庫を説明する。なお、図２は墓参用具格納庫の斜視図、図３は図２の墓参用具格納庫の扉を開いた状態の斜視図、図４は水桶を収納した状態の斜視図、図５は図２のＶ−Ｖ線で切断した断面図である。
【００４７】
墓参用具格納庫（以下、格納庫という）２２は、所定大きさの底板２３と、この底板の周囲から所定高さ立設し一側板面に所定大きさの扉開口３３を設けて該扉開口以外の周囲を囲繞し上方を開放させた筒型の側板２４Ａ、２４Ｂと、前記開放部分を被って塞いだ屋根板２６とを有し、扉開口３３に開閉自在な扉２５を装着して内部に水桶などの貯水容器３４及びその他の墓参用具を格納できる大きさの格納室Ｓが形成されている。屋根板２６には、その外表面の外周に雨水を集水する溝２６ａ１〜２６ｄ１が設けられており、また、側板２４Ｂには、これらの溝からの雨水を格納室Ｓの内部へ導水する凹み溝及び貫通孔２４３、２４４などが設けられている。なお、考案の請求の範囲では、側板を側板部、屋根板を屋根板部、溝２６ａ１〜２６ｄ１を集水部及び凹み溝及び貫通孔２４３、２４４などを導水部と表現されている。この構成の格納庫によれば、屋根板の外表面に、雨水を集水する集水部を設け、側板部に、集水部からの雨水を格納室の内部へ導水する導水部が設けてあるので、格納室に水桶などの貯水容器を格納して置くことによって、この貯水容器に雨水を貯水して置くことが可能になる。以下、図６〜図１３を参照して、格納庫を構成する個々の部品を説明する。
【００４８】
図６は底板を示し、図６Ａは平面図、図６Ｂは図６ＡのVIＢ方向から見た側面図である。この底板２３は、対向する一対の長辺２３ａ、２３ｂ及び短辺２３ｃ、２３ｄ並びに所定の板厚を有する矩形状の板状体からなる石材で形成されている。これらの寸法は、長辺の長さが例えば３９０ｍｍ、短辺の長さが例えば３６０ｍｍ及び板厚が例えば４５ｍｍとなっている。長短辺２３ａ〜２３ｄのうち、一方の長辺２３ａは正面辺、他方の長辺２３ａは奥辺、また、対向する短辺２３ｃ、２３ｄは両側辺となっている。この底板２３は、符号ａが裏壁面で地面設置側となっており、符号ｂが表壁面となっている。また、これらの長短辺の表壁面ｂの角部に所定角度のＲが付けられている。このＲは例えば９ｍｍとなっている。正面辺２３ａの片隅に、扉を支軸する支軸穴２３ａ１が穿設されている。この底板２３は、その表壁面ｂの略中央部に所定の直径及び深さの凹み穴２３ｅが形成されて、この凹み穴の中心部に貫通孔からなるドレイン孔２３ｅ１が穿設されている。凹み穴２３ｅの直径は、水桶３４の底部より若干大きくなっている。この凹み穴２３ｅはすり鉢状に形成するのが好ましい。
【００４９】
図７は側板を示し、図７Ａは両サイドの側板の立面図、図７Ｂは図７Ａの上面図、図７Ｃは奥側板の立面図、図７Ｄは図７Ｃ上面図である。両サイドの側板２４Ａは、左右の側板となっており、左右対称となっている。一方の側板２４Ａを説明する。側板２４Ａは、図７Ａ、図７Ｂに示すように、上下辺２４ａ、２４ｂ及び左右辺２４ｃ、２４ｄ並びに所定の板厚を有する矩形状の板状体からなる石材で形成されている。これらの側板は、底板と同質の石材で形成するのが好ましい。これらの寸法は、上下辺の長さが例えば３３０ｍｍ、左右辺の長さが例えば４８０ｍｍ、厚さが例えば３０ｍｍとなっている。また、左右辺２４ｃ、２４ｄのうち、左辺２４ｃは正面、右辺２４ｄは奥辺となっている。左辺２４ｃの角に所定のＲが付けられている。このＲは例えば９ｍｍとなっている。この側板２４Ａは、内壁面に棚穴２４１、２４２が形成されている。これらの棚穴２４１、２４２は、直径が例えば４ｍｍ、深さが例えば１０ｍｍとなっている。
【００５０】
奥方向の側板（以下、奥側板という）２４Ｂは、図７Ｃ、図７Ｄに示すように、上下辺２４ａ'、２４ｂ'及び左右辺２４ｃ'、２４ｄ'並びに所定の板厚を有する矩形状の板状体からなる石材で形成されている。この奥側板は、側板と同質の石材で形成するのが好ましい。これらの寸法は、上下辺の長さが例えば３００ｍｍ、左右辺の長さが例えば４８０ｍｍ、厚さが例えば３０ｍｍとなっている。また、この奥側板２４Ｂは、外壁面ｂに導水溝２４３が設けてある。なお、符号ａは内壁面となっている。この導水溝２４３は、外壁面ｂの上辺２４ａ'の略中央から下辺２４ｂ'へ向けて垂下した所定の幅長、深さ及び長さの凹み溝となっている。この凹み溝は、その下方端に奥側板２４Ｂを貫通する貫通孔２４３が形成されて、この貫通孔に連通している。これらの寸法は、凹み溝の幅長が例えば１５ｍｍ、深さが例えば１５ｍｍ、長さが例えば２７０ｍｍ、導水溝２４３の直径が例えば１５ｍｍとなっている。
【００５１】
図８は扉を示し、図８Ａは立面図、図８Ｂは図８Ａの上辺の側面図である。扉２５は、上下辺２５ａ、２５ｂ及び左右辺２５ｃ、２５ｄ及び所定の板厚を有する矩形状の板状体からなる石材で形成されている。この扉２５は、側板２４Ａ、２４Ｂと同質の石材で形成するのが好ましい。これらの寸法は、上下辺の長さが例えば２６７ｍｍ、左右辺の長さが例えば４７８ｍｍ、厚さが例えば３０ｍｍ、厚さが例えば２１ｍｍとなっている。この扉２５は、左辺２５ｃに扉を回転自在に支持する支軸棒２７（図５参照）が挿入される支軸孔２５ｃ１が穿設され、また右辺２５ｄ側の略中央に摘み２７を取付ける摘み孔２５ｄ１が形成されている。
【００５２】
図９は屋根板を示し、図９Ａは平面図、図９Ｂは図９ＡのIXＢ方向から見た側面図、図９Ｃは図９ＡのIXＣ−IXＣ線で切断した拡大断面図、図９Ｄは図９ＡのIXＤ方向から見た側面図である。
【００５３】
屋根板２６は、図９Ａに示すように、対向する一対の長辺２６ａ、２６ｂ及び短辺２６ｃ、２６ｄ並びに所定の板厚を有する矩形状の板状体からなる石材で形成されている。この屋根板２６は、側板２４Ａ、２４Ｂと同質の石材で形成するのが好ましい。この大きさは、底板２３と略同じになっている。これらの寸法は、長辺の長さが例えば３９０ｍｍ、短辺の長さが例えば３６０ｍｍ及び板厚が例えば４８ｍｍとなっている。これらの長短辺２６ａ〜２６ｂのうち、一方の長辺２６ａが正面辺、他方の長辺２６ｂが奥辺、また、対向する短辺２６ｃ、２６ｄが両側辺となっている。この屋根板２６は、符号ａが外壁面、符号ｂが内壁面となっている。正面辺２６ａ側の片隅に、扉２５を支軸する支軸穴２６ａ１が穿設されている。
【００５４】
この屋根板２３は、外壁面の外周辺縁、すなわち、長短辺２６ａ〜２６ｄの各辺縁に、それぞれ通水溝２６ａ１〜２６ｄ１が設けられている。これらの通水溝は、同じ形状であり繋がっている。これらの通水溝２６ａ１〜２６ｄ１は、その一本を図９Ｃに示すように、外壁面ａから側壁面ｃへ向かってなだらかに降下傾斜した傾斜面に所定深さ凹ませた凹み溝２６ｂ１となっている。この凹み溝２６ｂ１は、外側の溝壁ｃ'が他方の溝壁ａ'より背低になっている。すなわち、この凹み溝２６ｂ１は幅長をｘ、高さをそれぞれｙ１、ｙ２とすると、ｘが例えば１２ｍｍ、ｙ１が例えば９ｍｍ、ｙ２が例えば８ｍｍになっている。他の通水溝２６ａ１〜２６ｄ１も同じ形状になっている。溝をこの形状にすることによって、溝内に枯れ葉など落ちても滑り落ちて堆積することが無く、雨水のみを導水することが可能になり、また、デザイン性も良くなる。なお、溝はこの形状のものに限定されるものでなく、任意の形状にしてもよい。この屋根板２６は、長辺（奥辺）２６ａの溝２６ｂ１に、奥側板２４Ｂの外壁面ａに設けた導水溝２４３に接続する連結溝２６１が形成されている。連結溝２６１を長辺（奥辺）２６ａに設けたことにより、正面から見えず、デザイン性を損なうことがない。
【００５５】
図１０は摘みを示し、図１０Ａは上面図、図１０Ｂは正面図である。この摘み２８は、扉２５に装着して、扉の開閉を容易にするもので、摘み部２８ａと、この摘み部から所定長さ突出した取付け部２８ｂとを有し、石材で形成されている。この摘み２８は、取付け部２８ｂを扉２５の摘み孔２５ｄ１に差込んで固定する。
【００５６】
図１１は扉止め台を示し、図１１Ａは上面図、図１１Ｂは側面図である。この扉止め台２９は、底板２３に固定して扉２５が勢いよく閉まるのを制限するもので、直方体形状のブロック体で形成されている。この扉止め台２８は、底板２３にセメントなどの接着材などで固定する。
【００５７】
図１２は２枚の棚板を示し、図１２Ａは一方の棚板の平面図、図１１Ｂは図１２Ａの側面図、図１２Ｃは他方の棚板の平面図、図１２Ｄは図１２Ｃの側面図である。２枚の棚板は、サイズが異なり、両サイドの側板２４Ａに固定して、棚上にロウソクや線香などが載置されるものとなる。一対の棚板３０、３１は、一方の棚板３１が他の棚板３０よりサイズが大きくしてある。一方の棚板３０が、図１２Ａ、図１２Ｂに示すように、対向する長辺３０ａ、３０ｂ及び短辺３０ｃ、３０ｄ並びに所定の肉厚で細長矩形状をなした石板材で形成されている。また、他方の棚板３１は、図１２Ｃ、図１２Ｄに示すように、対向する長辺３１ａ、３１ｂ及び短辺３１ｃ、３１ｄ並びに所定の肉厚で細長矩形状をなした石板材で形成されている。
【００５８】
図１３は図３の樋を示し、図１３Ａは側面図、図１３Ｂは図１３ＡのXIIIＢから見た背面図である。樋３２は、奥側板２４Ｂに設けた貫通孔２４３の内壁面に固定して、水桶３４へ雨水を導水する導水部材となっている。この樋３２は、細長矩形状の底部３２ｂと、この底部から所定高さ立設した側壁面及び前後壁面３２ｂ〜３２ｆと、上壁面３２ａとを有する直方体形状の石材ブロックからなり、上壁面３２ａが後壁面３２ｆから前壁面３２ｅに向かって所定の角度で傾斜し、この傾斜した上壁面３２ａに水を流す略Ｕ字状の溝３２１が形成されている。この樋３２の長さは、水桶３４に注水できる長さにし、奥側板２４Ｂに設けた貫通孔２４４の内壁面にセメントなど接着材などで固定される。雨水は、この樋３２を通って水桶３４に貯水されるが、溜まった水は、時間が経つと変質することがある。そこで、この桶３２の溝３２１の一部に小室（不図示）を形成して、この小室に水浄化部材、例えば炭材などを入れて浄水するのが好ましい。
【００５９】
以上の部品を用いた格納庫２２の組立ては、底板２３の両短辺２３ｃ、２３ｄ側に一対の側板２４Ａ、及び奥の長辺２３ｂ側に奥側板２４Ｂを配設して、セメントなどの接着材を用いて固定する。また、底板２３には、長辺２３ａと短辺２３ｄとの隅部近傍に扉止め台２９を固定する。両側板２４Ａには、棚板３０、３１を取付け、奥側板２４Ｂに樋３２を取付ける。次いで、扉２５の支軸孔２５ｃ１に支軸棒２７を挿通して、底板２３の正面の長辺２３ａ側に扉２５を配設する。この時、支軸棒の下端を底板２３の支軸穴２３ａ１に差込む。その後、この組立て体の上に、屋根板２６を固定して組立てを完了する。
【００６０】
この組立てた格納庫２２に、雨が屋根板に当たると、図２〜図５に示すように、集水されて外周囲の通水溝２６ａ１〜２６ｄ１へ流れ込む。流れ込んだ雨水は、この通水溝を通って、連結溝２６１から奥側板２４Ｂの導水溝（凹み溝）２４３を伝って流れ落ちて、貫通孔２４４及び樋３２を通って水桶３４に注水される。また、水桶は、上方が開口しているので、降雨毎に、注水されて、新鮮な雨水が貯水される。水桶から溢れた水は、底板のドレイン孔から外部へ排出される。なお、降雨量が多いときは、必要以上の雨水は通水溝から溢れ出て落下する。
【００６１】
［実施形態２］
図１４を参照して、本考案の実施形態２に係る格納庫を説明する。なお、図１４は、本考案の実施形態２に係る格納庫の断面図である。この図は実施形態１の図５に対応したものとなっている。実施形態２に係る格納庫２２Ａは、実施形態１の格納庫と屋根部の取付け構造及び側板部の一部が異なっている。そこで、両者に共通する構成には同一符号を付して重複説明を省略し、異なる構成を詳述する。
【００６２】
実施形態２に係る格納庫２２Ａは、図１４に示すように、屋根板２６Ａを正面側から奥へ向かって所定角度θ傾斜させて、側板２４Ａ'、２４Ｂ'に取付けた構造となっている。この傾斜角度θは、数度に設定する。屋根板２６Ａを傾斜して取付けたことによって、各側板２４Ａ'、２４Ｂ'は、上辺が傾斜させたものとなっている。この格納庫２２Ａによれば、雨水が効率よく集水して貯水できる。
【００６３】
この実施形態１、２の格納庫は、屋根板外周囲の溝を設けて、雨水を集水したが、他の方法で貯留し、水桶に注水し貯水してもよい。例えば、屋根板（板状体）の任意の箇所に所定大きさの窪みを設けて所定量の雨水を貯水し、この貯水した雨水を導水管で格納庫内へ導入するようにしてもよい。この導水管は、側板に貫通孔などを設け側板の内壁又は外側に沿って固定して配設する。また、導水管の間に水浄水装置を設けて浄水する。
【符号の説明】
【００６４】
１０                お墓
１１                外柵
１２                踏石
１３                門柱
１４                墓石
１４Ａ              納骨室
１５                地廻石
１６                下石台
１７                上石台
１８                竿石
１９                墓誌
２０                花立て・水鉢セット
２１                物置台
２２、２２Ａ        墓参用具格納庫
２３                底板
２３ｅ１              ドレイン孔
２４Ａ、２４Ｂ      側板
２４３              導水溝
２４４              貫通孔
２５                扉
２６                屋根板
２６ａ１〜２６ｄ１    集水部
２７                支軸棒
２８                摘み
２９                扉止め石
３０、３１          棚板
３２                樋（導水部材）
３３                扉開口
３４                水桶（貯水容器）
Ｓ                  格納室
【図１】
0003166282.tif 000003
【図２】
0003166282.tif 000004
【図３】
0003166282.tif 000005
【図４】
0003166282.tif 000006
【図５】
0003166282.tif 000007
【図６】
0003166282.tif 000008
【図７】
0003166282.tif 000009
【図８】
0003166282.tif 000010
【図９】
0003166282.tif 000011
【図１０】
0003166282.tif 000012
【図１１】
0003166282.tif 000013
【図１２】
0003166282.tif 000014
【図１３】
0003166282.tif 000015
【図１４】
0003166282.tif 000016
【図１５】
0003166282.tif 000017
【図１６】
0003166282.tif 000018